(57)【要約】【課題】生産性を低下させることなく、シートがカールすることによるシートの巻きつきジャムの発生等の不具合を低減させる。【解決手段】片面画像形成時にシートが定着手段を通過することにより、シートにカールが付けられる。定着手段のシート搬送方向下流側、例えば両面搬送路に、カール補正手段９が配置される。該カール補正手段９は、中央側の第１ローラ９１が両端側の第２ローラ９２より速い周速で回転し、シートに幅方向に引っ張るような力を作用して、先端部及び後端部のカールを補正する。【選択図】図５
2016060606.tif 000002
【特許請求の範囲】
【請求項１】
像担持体にトナー像を形成する画像形成手段と、
前記像担持体のトナー像を搬送されるシートに転写する転写手段と、
該シートに転写されたトナー像を加熱、加圧して定着する定着手段と、
該定着手段のシート搬送方向下流側に配置され、シートのカールを補正するように、シートを該シートの搬送方向と交差する幅方向の中央側と端側とを異なる速度で搬送するカール補正手段と、を備えた、
ことを特徴とする画像形成装置。
【請求項２】
シートの片側面にトナー像が定着されたシートを反転する反転手段と、
該反転手段にて反転されたシートを前記画像形成手段に向けて搬送する両面搬送路と、を備え、
該両面搬送路に前記カール補正手段を配置した、
請求項１記載の画像形成装置。
【請求項３】
前記カール補正手段は、シートの幅方向の中央側を搬送する第１ローラと、該第１ローラに対してシートの幅方向両端側を搬送する第２ローラとを有し、
前記第１ローラを前記第２ローラに対して速い周速で回転する、
請求項１又は２記載の画像形成装置。
【請求項４】
前記第１ローラ及び前記第２ローラの一方を一定速度で駆動すると共に、他方を、搬送速度を可変とする駆動モータで駆動する、
請求項３記載の画像形成装置。
【請求項５】
前記カール補正手段の搬送下流側にシートを検知するセンサを設け、
該センサにより、前記カール補正手段が補正したシート先端からの長さを検知して、該長さが所定量に達すると、前記駆動モータによる前記他方のローラの駆動を停止する、
請求項４記載の画像形成装置。
【請求項６】
前記画像形成装置の環境を検出する環境センサを備え、
該環境センサにより前記駆動モータを制御する、
請求項４又は５記載の画像形成装置。
【請求項７】
前記環境センサが、湿度を検出する湿度センサである、
請求項６記載の画像形成装置。
【請求項８】
前記一方のローラが前記第１ローラであり、前記他方のローラが前記第２ローラである、
請求項４ないし７のいずれか１項記載の画像形成装置。
【発明の詳細な説明】
【技術分野】
【０００１】
本発明は、シートに転写されたトナー像を加熱定着する定着装置を備えた画像形成装置に係り、詳しくは定着装置によりカールされたシートのカールを補正（矯正）する装置に関する。
【背景技術】
【０００２】
従来、電子写真画像形成プロセスを用いた画像形成装置において、感光ドラム等の像担持体上に形成した静電潜像をトナーで現像して可視画像化（トナー像化）し、これをシートに転写した後、熱および圧力によりトナー画像をシートに定着させるという方式が採用されている。トナー画像をシート（被記録材）に定着させる定着装置は、一般に、加熱部としての定着ローラまたは定着フィルムと、加熱部に圧接する加圧ローラとを備えている。そして、加熱部と加圧ローラとの相互圧接部である定着ニップ部でシートを挟持して搬送することで、定着ニップ部の加圧力および加熱力で未定着トナー画像をシートに熱圧定着させる。
【０００３】
シートが加熱部と加圧ローラとの定着ニップ部を通過すると、該シートの加熱される側の表面の紙繊維が熱膨張し、加熱面と加熱されない面との熱膨張量の差によって加圧ローラ側にシート搬送方向のシート先端部および後端部（以下、先端部および後端部と称す）が湾曲（カール）する場合がある。シートにカールが生じると、シートを排紙トレイ上に堆積する際、穿孔、ステープル等の後処理を行う際、及びシートの搬送不良等の不具合を生じることがある。
【０００４】
特に、シートの先端部および後端部が湾曲すると、両面印刷時に反転パス及び両面搬送路を通り表裏反転されることで、定着ニップ部で形成されたカールの向きも逆向きとなり、感光ドラムに沿ってシートがカールする状態になる。そして、両面搬送路を通った後、再度感光ドラムに入り、そこから出るときにシートが感光ドラムに沿ってカールしているため、感光ドラムに対してシートの分離がしにくくなり、巻きつきジャムが発生するおそれがある。
【０００５】
特許文献１では、カールの方向に応じてシートに対して冷却風を当てて、熱膨張した紙繊維を元に戻すことで、シートのカール矯正を行なう画像形成装置が提案されている。
【先行技術文献】
【特許文献】
【０００６】
【特許文献１】特開２００７−１６３６４２号公報
【発明の概要】
【発明が解決しようとする課題】
【０００７】
上記特許文献1のものは、シートの第１面又は第２面に選択的に冷却風をあて、またシートに吹き付けられる風量を変化することにより、多様なカールに対して適正にカール矯正を行うことができる。
【０００８】
しかしながら、特許文献１に記載の画像形成装置は、シートに冷却風を当てて膨張した紙繊維を元に戻すことである程度のカールは抑えられるものの、熱膨張した紙繊維を元に戻すには時間がかかるため、搬送時間内にカールを除去するのが困難であった。また、カールを除去するために搬送速度を下げて冷却時間を長くし、熱膨張した紙繊維を元に戻すということも考えられるが、搬送速度を下げると生産性が低下してしまうという課題が生じてしまう。
【０００９】
そこで、本発明は、生産性を低下させることなく、シートのカールを適正に補正（矯正）することができる画像形成装置を提供することを目的とする。
【課題を解決するための手段】
【００１０】
上記目的を達成するために本発明の画像形成装置は、像担持体にトナー像を形成する画像形成手段と、前記像担持体のトナー像を搬送されるシートに転写する転写手段と、該シートに転写されたトナー像を加熱、加圧して定着する定着手段と、該定着手段のシート搬送方向下流側に配置され、シートを該シートの搬送方向と交差する幅方向の中央側と端側とを異なる速度で搬送して、該シートの搬送方向の先端部及び後端部等のカールを補正するカール補正手段と、を備えたことを特徴とする。
【発明の効果】
【００１１】
本発明によれば、生産性を低下させることなく、定着手段にて付けられたシートのカールによる弊害を抑えることができる。
【図面の簡単な説明】
【００１２】
【図１】画像形成装置の全体構造を模式的に示す断面図。
【図２】定着装置の斜視図。
【図３】定着装置の断面図。
【図４】反転パスの断面図。
【図５】本実施の形態によるカール補正手段を示す斜視図。
【図６】他の実施の形態による制御構成を示すブロック図。
【図７】そのカール補正の流れを示すフローチャート。
【発明を実施するための形態】
【００１３】
以下、本発明の実施形態に係る画像形成装置について、図を参照しながら説明する。本発明の実施形態に係る画像形成装置は、複写機、プリンタ、ファクシミリ及びこれら複合機器等、トナー像を形成する電子写真方式の画像形成装置である。以下においては、電子写真方式の画像形成装置を用いて説明する。
【００１４】
画像形成装置である複写機Ｐは、図１に示すように、画像読取り部１の読み取りスキャナ１１を用いて原稿載置部１２に置かれた原稿の画像情報を読み取る。そして、レーザ照射装置２を用いて、読取った画像情報に基づいたレーザ光を現像剤像形成手段としての画像形成部３の電子写真感光体（感光ドラム）（以下、像担持体と称する）３１の表面に照射する。像担持体３１は帯電ローラ３２によって一様に帯電されているため、レーザ照射装置２からレーザ光を照射されることで像担持体３１に静電潜像を形成し、現像装置３３を用いてこの潜像から現像剤像（トナー像）を形成する。そして、給送部４の積載トレイ４１に積載されているシートをピックアップローラ４２および分離ローラ４３を用いて搬送する。
【００１５】
次に、像担持体３１に形成したトナー像を、転写ローラ３４によってシートに転写する。そして、定着手段としての定着装置５により熱及び圧力を印加してトナー像をシートに定着する。定着装置５の定着方法については後述する。シートの搬送経路において、トナー像が定着されたシートを冷却手段としての送風装置によって冷却しながら搬送する。排紙部６の排出ローラ６１を用いて冷却後のシートを排出トレイ６２へ排出する。給送部４以外から被記録媒体を給送する手段として、シートを手差し給送することが可能な手差し給送部７を備えている。手差し給送部７は、シートを積載する手差しトレイ７１と、手差しトレイ７１に積載されたシートを分離給送する給送ローラ７２と、を備えている。ここで、被記録材であるシートとは、電子写真画像形成装置によって画像が形成されるものであって、例えば、紙、ＯＨＰシート、布等が含まれる。また、画像読取り部１と画像形成装置（複写機）本体Ａとの間の中胴部（排紙部）Ｂには、上記（第１）排出トレイ６２の上方に、ファクシミリ等からの画像情報をプリントしたシートを排出する第２排出トレイ６３を有する。
【００１６】
画像形成装置Ｐの定着装置５について、図２及び図３を用いて説明する。まず、未定着のトナー像を転写されたシートは、発熱体５１１と定着フィルム５１２からなる加熱部５１０と、加圧ローラ５２０とで挟持搬送される。このとき、加熱部５１０と加圧ローラ５２０とで狭持搬送されることで、シートにトナー像が定着される。定着フィルム５１２は、無端状のフィルムとなっている。加圧ローラ５２０は、不図示の駆動モータにより回転駆動するように構成されている。また、加圧ローラ５２０は、シートを狭持搬送するために、定着フィルム５１２に対して圧接する位置に設けられている。
【００１７】
加熱部５１０および加圧ローラ５２０によってトナー像を定着されたシートは、第１搬送アルミローラ５３１と第１搬送ゴムローラ５３２からなる第１搬送ローラ対５３０によって、第２搬送ローラ対５５０に搬送される。第１搬送アルミローラ５３１は、アルミ棒材の外周にフッ素樹脂のフィルムを巻いて形成されている。第１搬送ゴムローラ５３２は、シリコンゴムによって形成されており、不図示の駆動モータによって回転駆動するように構成されている。なお、第１搬送ゴムローラ５３２の周速は、加熱部５１０および加圧ローラ５２０との間でシートが弛まないように設定されている。そのため、第１搬送ゴムローラ５３２の周速は、加圧ローラ５２０よりも速くなるように設定されている。
【００１８】
シートは、第２搬送ローラ対５５０にて、定着装置５の外に搬送され、前述した経路で排出される。第２搬送ローラ対５５０は、第２搬送アルミローラ５５１と第２搬送ゴムローラ５５２とで構成されている。第２搬送アルミローラ５５１は、アルミ中空管材の外周にフッ素樹脂のフィルムを巻いて形成されている。第２搬送ゴムローラ５５２は、シリコンゴムにより形成されており、不図示の駆動モータによって回転駆動するように構成されている。なお、第２搬送ゴムローラ５５２の周速は、第１搬送ローラ対５３０との間でシートが弛まないように設定されている。そのため、第２搬送ゴムローラ５５２の周速は、第１搬送ゴムローラ５３２の周速よりも速くなるように設定されている。
【００１９】
次に、本実施の形態に係る画像形成装置Ｐにおけるシートの反転手段Ｅおよびカール補正手段９について図４及び図５を用いて説明する。上記定着手段５によりトナー像を定着されたシートは、第２搬送ゴムローラ５５２により挟持搬送され、排紙部Ｂへと搬送される。図４に示す排紙部には第１排紙フラッパ８１が配置されており、該第１排紙フラッパ８１は、選択されたジョブにより、搬送されたシートを第１排紙部Ｃおよび第２排紙部Ｄに搬送するかパスの切り替えを行う。第１排紙フラッパ８１により第２排紙部Ｄに搬送されたシートは第２排紙フラッパ８２により第２排紙部Ｄ又は反転パス（手段）部Ｅへの切り替えが行われる。両面印刷が選択され、反転パス部Ｅへと搬送されたシートは、排紙フラッパ直後にある反転ローラ８３および反転センサ８４により反転動作に入る。
【００２０】
反転ローラ８３は、シートを図中Ｆ方向に所定量挟持搬送する。この時、反転センサ８４によりシートの先端を検知してからの搬送量をシートサイズにより変更する。反転ローラ８３および反転センサ８４により所定量挟持搬送されたシートは、その後反転ローラ８３の逆回転によってＧ方向に搬送され、両面ユニット内の両面搬送路２０３へと搬送される。
【００２１】
次に両面搬送路２０３へと搬送されたシートは、図５に示すカール補正装置（手段）９によりカール補正が行われる。カール補正手段９は、シートの搬送方向に交差する幅方向の中央側を搬送する第１ローラ９１と、該第１ローラ９１に対してシートの幅方向外（端）側を搬送する第２ローラ９２とから構成されている。上記中央側の第１ローラ９１は、他の搬送ゴムローラ５３２，５５２と同様に、搬送系伝動装置又は駆動モータにより所定の一定回転数で回転する。上記端側の第２ローラ９２は、専用の駆動モータ６００により駆動され、第１ローラ９１の周速より遅い速度で回転するように設定されている。上記第１ローラ９１及び第２ローラ９２は、それぞれシートを挟むようにそれぞれ従動ローラに接しており、上記中央側の第１ローラ９１によるシートの搬送速度が、上記端側の第２ローラ９２による搬送速度より速くなっている。なお、上記実施の形態では、第１ローラ９１及び第２ローラ９２は、それぞれ２個からなるが、これに限らず、第１ローラ９１は１個又は３個以上でもよく、第２ローラ９２は、２個以上の多数個でもよいが、偶数個が望ましい。
【００２２】
このシート中央側とシート端側の周速差によりシートにコシ付けが行われ、シートのカール補正が行われる。上記カール補正手段９の搬送下流側の搬送路には、シートの先端を検知するカール補正センサ９３が配置されている。該カール補正センサ９３により上記カール補正手段９からのシートの搬送量を検知して、カール補正手段９が補正したシート先端からの長さを検知する。所定の距離を搬送して、カール補正手段による補正長さが所定量に達すると、第２ローラ９２の駆動は停止される。これにより、シートは、カール補正手段９によりシートの搬送先端側の所定長さがコシ付けされてカール補正され、シートの後端側には上記周速差によるシートにダメージが生じないようになっている。上記第２ローラ９２の駆動が停止した状態にあっても、シートは、第１ローラ９１により搬送される。この状態では、第２ローラ９２は、空転することが好ましい。
【００２３】
本実施の形態は、以上のような構成からなるので、給送部４の積載トレイ４１のシートは、ピックアップローラ４２及び分離ローラ４３により１枚ずつに分離されて搬送経路２０１に搬送される。画像読取り部１で読取られた画像情報又はパソコン若しくはファクシミリから通信された画像情報は、レーザ照射装置２からのレーザ光により像担持体３１上に静電潜像として形成され、更に現像装置３３からのトナーによりトナー像（現像剤像）となる。
【００２４】
上記搬送経路２０１を搬送されたシートは、レジストローラ対３５によりシートの斜行が補正されると共に上記像担持体３１上のトナー像にタイミングを合せて、転写ローラ３４からなる転写部（転写手段）に向けて搬送される。該転写部にてシートの表面に上記トナー像が転写され、該シートのトナー像は、定着装置５により定着される。この際、シートは、加熱部５１０と加圧ローラ５２０により加熱、加圧されて加熱される側の表面が熱膨張して、搬送方向の先端部及び後端部が加圧ローラ５２０側に湾曲（カール）される。該片面（表面）にトナー像が定着されたシートは、第１搬送ローラ対５３０及び第２搬送ローラ対５５０を介して排紙部Ｂの搬送路２０２へ搬送される。
【００２５】
片面印刷モードを選択した場合、搬送路２０２のシートは、第１排紙フラッパ８１により第１排紙部Ｃへ導かれ更に排出ローラ６１を通って第１排出トレイ６２に排出される。両面印刷モードを選択した場合、片面にトナー像が定着されたシートは、上記搬送路２０２から第１排紙フラッパ８１及び第２排紙フラッパ８２の切換えにより反転パス部Ｅへ搬送され、反転センサ８４を経由して反転ローラ８３に導かれる。反転センサ８４によりシートの先端を検出することにより、予め知られているシートのサイズに基づき反転ローラ８３の正転回転及び反転タイミングが設定される。
【００２６】
反転ローラ８３がシートを挟持した状態で所定回転数正回転して、シートを矢印Ｆ方向に給送し、シート後端がフラッパ８５を通過した時点で、上記反転ローラ８３が反転すると共にフラッパ８５が両面搬送路２０３に切換えられる。これにより、シートは矢印Ｆ方向に排出した後、矢印Ｇ方向に引込まれ、フラッパ８５を介して両面搬送路２０３に導かれる。そして該シートは両面搬送路２０３に配置されたカール補正手段９へ案内される。
【００２７】
カール補正手段９において、中央側の第１ローラ９１が端側の第２ローラ９２に比して速い周速でシートを搬送することにより、該シートは、幅方向外側に引っ張られる（拡がる）ような力が作用し、これにより該シートにコシが付けられて上記定着装置５で付けられたカールが補正（矯正）される。端側の第２ローラ９２は、センサ９３がシート先端を検知すると、駆動が停止されて上記カール補正が停止されるが、上記シート先端側の幅方向拡がりによるコシ付けにより、シート先端側のカールが矯正されると共に、シート後端側のカールも矯正され、シートは、略々平面状態となる。なお、シートの種類、例えばシートサイズ、坪量、紙種により、駆動モータ６００の回転速度、停止タイミングが予め設定されており、上記カール補正手段９は、上記シートに応じて適正にカール補正が行われる。従って、場合によっては、シートの全長に亘って、第２ローラ９２を駆動し続けてカール補正を行ってもよい。また、第１ローラ９２、第２ローラ９１を同じ駆動源（モータ）から駆動して、ギヤ比により予め設定された一定の速度比に設定してもよい。
【００２８】
上記カール補正手段９にてカール補正されたシートは、両面搬送路２０３に案内されて搬送ローラ対３７，３８により搬送されてレジストローラ対３５に導かれる。そして、前述した給送部４からのシートと同様に、上記レジストローラ対３５によりシートの斜行が補正されると共に像担持体３１上のトナー像にタイミングを合せて、転写ローラ３４に向けて搬送され、像担持体３１のトナー像がシートの裏面に転写される。この際、シートは、カール補正手段９によりカール補正されているので、感光ドラム等の像担持体３１に巻付くことが防止される。
【００２９】
該シートは、定着装置５を通過することにより、裏面側のトナー像も定着され、第１搬送ローラ対５３０及び第２搬送ローラ対５５０を介して排紙部Ｂの搬送路２０２に搬送され、排出ローラ６１から第１排出トレイ６２に排出される。
【００３０】
以上説明したように、本実施の形態では、両面搬送路２０２内でシート中央部とシート端部で速度差を設けることでシートのカールを補正することできる。その結果、感光ドラムに沿うカール状態になった場合に発生し得るジャムを低減させることができる。
【００３１】
次に、本発明の第２の実施の形態に係る画像形成装置について、図６に沿って説明する。本実施の形態は、絶対湿度を検出して搬送モータ６００を制御する検出手段としての環境センサ１０４を画像形成装置Ｐに設けた点が上記第１実施形態と相違する。そのため、本実施の形態においては、搬送駆動モータ（搬送モータ、駆動モータ）６００及び環境センサ１０４の制御を中心に説明する。ここで、上述した画像形成装置（複写機）Ｐと同様の構成のものについては、同じ符号を付してその説明を省略する。
【００３２】
図６に、本実施の形態における制御ブロック図を示す。メインＣＰＵ１００は、システムバス１０１を介して装置全体を制御している。ＲＡＭ１０２は、ＣＰＵ１００の作業領域及びデータの一時記憶領域である。ＲＯＭ１０３は、ＣＰＵ１００によって使用される装置全体を動作させるためのプログラムなどが書き込まれている。画像読取り部１は、原稿載置部１２に置かれた原稿などの画像データを読み取る。画像形成部３は、画像読取り部１で読み取った画像データに基づいて、搬送されたシートに画像を形成する。環境センサ１０４は、湿度等の環境状況を検出する。搬送駆動モータ６００は、環境センサ１０４の検出結果に伴って、カール補正ローラの速度を可変する。
【００３３】
図７は、湿度によって搬送モータ６００を制御する流れを示したフローチャートである。Ｓ７００でユーザが印刷設定をし、コピーがスタートされると、Ｓ７０１で両面印刷が設定されているか否かを判断する。Ｓ７０１で片面印刷が設定されている場合（Ｎｏ）は速度の可変を行なわずに、第１搬送ローラ対５３０および第２搬送ローラ対５５０によって搬送して、シートを排出する。
【００３４】
Ｓ７０１で両面印刷が設定されている場合（Ｙｅｓ）はＳ７０２へ進み、普通紙が選択されているか否かを判断する。Ｓ７０２で普通紙ではない厚紙などが選択されている場合（Ｎｏ）は速度の可変を行なわずに、第１搬送ローラ対５３０および第２搬送ローラ対５５０によって搬送する。
【００３５】
Ｓ７０２で普通紙が選択されている場合（Ｙｅｓ）はＳ７０３へ進み、環境センサ１０４から検出結果を取り込む。Ｓ７０４で、環境センサ１０４の検出結果が湿度８０％以上であるか否かを判断する。Ｓ７０４で、湿度が８０％以下である場合（Ｎｏ）は速度の可変を行なわずに、第１搬送ローラ対５３０および第２搬送ローラ対５５０によって搬送する。Ｓ７０３で湿度が８０％以上である場合（Ｙｅｓ）は、カール補正が必要と判断され、Ｓ７０５へ進む。カール補正が必要と判断されると、Ｓ７０５で搬送モータ６００の速度を変更する。Ｓ７０５で搬送モータの速度が変更されると前述したようにカール補正が行われる。
【００３６】
次に、Ｓ７０６でユーザが設定したジョブが終了したか否かを判断し、ジョブが終了していない場合は、Ｓ７０７へ戻る。ジョブが終了している場合は、Ｓ７０８へ進み、搬送モータ６００をＯＦＦして終了する。
【００３７】
本実施の形態では、カール補正が必要とされる環境設定を湿度８０％以上としたが、カール補正が必要かどうかの判断基準として、湿度の割合を変更したり、温度やその他の環境状況を用いても良い。
【００３８】
以上説明したように、本実施の形態では、環境センサ１０４によって絶対湿度を検知して、ある一定条件の場合は搬送駆動モータ６００を制御して搬送ローラの速度を可変する。これにより、用紙端部にコシ付けすることができ、加熱によるシート搬送方向の湾曲を抑えることが出来る。その結果、シートの先端部が湾曲することにより生じ得る巻きつきジャムの発生を低減させることができる。
【００３９】
以上、上記実施形態について説明したが、本発明は上述した実施形態に限定されるものではない。カール補正手段は、両面搬送路以外の搬送路、例えば定着装置５の下流側の搬送路２０２に配置してもよい。カール補正手段において、専用の搬送駆動モータ６００で駆動するローラは、第２ローラ９２，９２としたが、第１ローラ９１としてもよく、要は、第１ローラと第２ローラとの周速が、第１ローラが第２ローラに比して速い関係であれば、どのような駆動及び伝動関係でもよい。また、本発明の実施形態に記載された効果は、本発明から生じる最も好適な効果を列挙したに過ぎず、本発明による効果は、本発明の実施形態に記載されたものに限定されない。
【００４０】
以下、上記開示した内容をまとめて示すと以下の通りである。なお、各構成要素の図面対照符号をカッコ内に付したが、これにより特許請求の範囲の記載の構成に何等影響を及ぼすものではない。
【００４１】
１．画像形成装置が、像担持体（３１）にトナー像を形成する画像形成手段（３）と、
前記像担持体（３１）のトナー像を搬送されるシートに転写する転写手段（３４）と、
該シートに転写されたトナー像を加熱、加圧して定着する定着手段（５）と、
該定着手段のシート搬送方向下流側に配置され、シートのカールを補正するように、シートを、該シートの搬送方向と交差する幅方向の中央側と端側とを異なる速度で搬送するカール補正手段（９）と、を備えたことを特徴とする。
【００４２】
これにより、定着手段でシートに付けられたカールは、カール補正手段により、シートが幅方向に引っ張られて矯正（補正）され、上記カールによる不具合が低減される。
【００４３】
２．シートの片側面にトナー像が定着されたシートを反転する反転手段（Ｅ）と、
該反転手段にて反転されたシートを前記画像形成手段（３）に向けて搬送する両面搬送路（２０３）と、を備え、
該両面搬送路に前記カール補正手段（９）を配置した。
【００４４】
これにより、定着手段にてカールが付けられたシートは、反転手段及び両面搬送路を経由して前後及び表裏が反転されて再び画像形成手段に搬送される。この際、片面画像形成における定着手段でのシートのカールは、転写手段によるトナー像のシートへの転写に際して、像担持体に巻き付く方向となるが、上記カール補正手段によりシートの先端部及び後端部のカールが補正されているので、上記像担持体へのシートの巻き付きが阻止され、シートのジャムの発生を低減できる。
【００４５】
３．前記カール補正手段（９）は、シートの幅方向の中央側を搬送する第１ローラ（９１）と、該第１ローラに対してシートの幅方向両端側を搬送する第２ローラ（９２）とを有し、
前記第１ローラ（９１）を前記第２ローラ（９２）に対して速い周速で回転する。
【００４６】
これにより、シートが第１ローラ及び第２ローラを通過することにより、シートは、幅方向に拡げられてコシを付けられ、先端部及び後端部のカールが補正される。
【００４７】
４．前記第１ローラ（９１）及び前記第２ローラ（９２）の一方を一定速度で駆動すると共に、他方を、搬送速度を可変とする駆動モータ（６００）で駆動する。
【００４８】
これにより、第１ローラと第２ローラとの周速に所定差を容易、確実につけることができ、シートのカールを適正に補正することができる。
【００４９】
５．前記カール補正手段（９）の搬送下流側にシートを検知するセンサ（９３）を設け、
該センサにより、前記カール補正手段（９）が補正したシート先端からの長さを検知して、該長さが所定量に達すると、前記駆動モータ（６００）による前記他方のローラの駆動を停止する。
【００５０】
これにより、シートが過度に幅方向に引っ張られて、シートにダメージを与えることを防止できる。
【００５１】
６．前記画像形成装置の環境を検出する環境センサ（１０４）を備え、
該環境センサにより前記駆動モータ（６００）を制御する。
【００５２】
これにより、環境に応じて、シートのカールを適正に補正することができる。
【００５３】
７．前記環境センサ（１０４）が、湿度を検出する湿度センサである。
【００５４】
これにより、例えば湿度８０％以上等の湿度の高い状況では、カール補正を行わない等のカール補正が必要な環境のみカール補正をすることができる。
【００５５】
８．前記一方のローラが前記第１ローラ（９１）であり、前記他方のローラが前記第２ローラ（９２）である。
【００５６】
一定速度で回転する一方のローラが中央側の第１ローラであり、駆動モータにより可変速度で回転する他方のローラが第２ローラであるので、シートを幅方向に引っ張る周速の遅い第２ローラを可変として、シートへのダメージを低減しつつ、適正にシートのカールを補正することができる。また、第２ローラの駆動を停止した状態でも、第１ローラにより適正な搬送速度でシートを搬送することができる。
【符号の説明】
【００５７】
Ｐ    画像形成装置
３    画像形成手段（部）
３１    像担持体（感光ドラム）
３４    転写手段（転写ローラ）
５    定着手段（定着装置）
５１０    加熱部
５２０    加圧ローラ
Ｅ    反転手段（反転パス）
８３  反転ローラ
８４  反転センサ
９    カール補正手段
９１  第１ローラ
９２  第２ローラ
９３  （カール補正）センサ
２０３    両面搬送路
【図１】
2016060606.tif 000003
【図２】
2016060606.tif 000004
【図３】
2016060606.tif 000005
【図４】
2016060606.tif 000006
【図５】
2016060606.tif 000007
【図６】
2016060606.tif 000008
【図７】
2016060606.tif 000009